(57)【要約】【課題】建築物の屋根に施工される縦葺き（縦張り）外装構造の任意の位置に太陽電池システム等を取り付けることができる外設部材の支持構造、及び外装構造を提供する。【解決手段】本発明は、支持架台１上に外設部材５を支持させると共に、前記支持架台１に固定した取付具３により外設部材５を取り付けてなり、前記支持部材３は、流れ方向に沿う１つ以上の溝部２１を備え、前記取付具３は、前記溝部１１内に弾性係合する脚部２２と、上方に延在する取付部２３とを備え、前記支持架台１の溝部１１に、前記取付具３の脚部２２を上方から取り付け、外設部材５を前記支持架台１上に支持させると共に、前記取付具３の取付部２３に取り付けてなることを特徴とする。【選択図】図１
2010285746.tif 000002
【特許請求の範囲】
【請求項１】
支持架台上に外設部材を支持させると共に、前記支持架台に固定した取付具により外設部材を取り付けてなる支持構造であって、
前記支持部材は、流れ方向に沿う１つ以上の溝部を備え、
前記取付具は、前記溝部内に弾性係合する脚部と、上方に延在する取付部とを備え、
前記支持架台の溝部に、前記取付具の脚部を上方から取り付け、外設部材を前記支持架台上に支持させると共に、前記取付具の取付部に取り付けてなることを特徴とする外設部材の支持構造。
【請求項２】
取付具は、上方に位置する収納部と、下方に配されて前記溝部内に弾性係合する脚部とを有する第１部分と、前記第１部分の収納部に収納される第２部分と、前記第２部分に取り付けられて上方に延在する取付部を有する第３部分とを組み合わせてなることを特徴とする請求項１に記載の外設部材の支持構造。
【請求項３】
取付具は、抜け止め手段が備えられていることを特徴とする請求項１に記載の外設部材の支持構造。
【請求項４】
流れ方向に嵌合部を有する縦葺き外装構造に請求項１又は２に記載の支持構造を取り付けてなる外装構造であって、
縦葺き外装構造の左右の嵌合部に支持架台を嵌合させて固定し、該支持架台に固定した取付具により外設部材を取り付けたことを特徴とする外装構造。
【発明の詳細な説明】
【技術分野】
【０００１】
本発明は、建築物の屋根に施工される縦葺き（縦張り）外装構造の任意の位置に太陽電池システム等を取り付けることができる外設部材の支持構造、及び外装構造に関する。
【背景技術】
【０００２】
従来、縦葺き屋根上に太陽電池システム等の外設部材を取り付ける場合は、屋根の縦桟部分（屋根板もしくはカバー）に直接釘（ビス）等を打ち込んで固定したり、ハゼ部（縦桟）の外側を金具で挟み、ボルトで締着して取り付ける方法が知られている。
【０００３】
特に太陽電池システムの場合には、メーカー毎に太陽電池モジュールのサイズが異なるため、専用の固定金具の上に鋼材を桁状に取り付けする方法が採られている。
【発明の開示】
【発明が解決しようとする課題】
【０００４】
しかし、前記の縦桟部分に直接釘（ビス）等を打ち込む方法では、縦桟内に保釘性が必要になり、釘孔が屋根面に露出しているため、釘孔から雨水が浸入する（釘が屋根板、カバーを貫通しているため），また釘等を縦桟の横方向から打ち込むため、取付作業に手間が掛かる，という問題も有していた。また、前記ハゼ部（縦桟）の外側を金具で挟み込む方法では、ボルトの締着強度が十分でないと、ズレ動いたり落下することがあり、締め付けすぎると、素材が変形又は破断することがあった。
なお、施工の途中や施工後に固定具を外して所望の取付位置に微調整して再度固定する場合には、前述の方法で実質的に困難であり、直接釘（ビス）を打ち込む方法では、雨水の侵入箇所を増やすことになり、ハゼ部を金具で挟み込む方法では、変形又は破断される箇所を増やすことになっていた。
【０００５】
また、前記太陽電池システムを設置する方法では、取付用の部材点数が多く、非常に手間がかかり作業能率が悪いという問題があった。
さらに、そもそも太陽電池モジュールのサイズに応じた専用の固定金具であるにもかかわらず、微妙なズレが生じて取り付けが困難となることもあり、およそ取付位置の微調整ができるものではなかった。
【０００６】
そこで、本発明は、建築物の屋根に施工される縦葺き（縦張り）外装構造の任意の位置に太陽電池システム等を取り付けることができる外設部材の支持構造、及び外装構造を提案することを目的とする。
【課題を解決するための手段】
【０００７】
本発明は、上記に鑑み提案されたものであって、支持架台上に外設部材を支持させると共に、前記支持架台に固定した取付具により外設部材を取り付けてなる支持構造であって、前記支持部材は、流れ方向に沿う１つ以上の溝部を備え、前記取付具は、前記溝部内に弾性係合する脚部と、上方に延在する取付部とを備え、前記支持架台の溝部に、前記取付具の脚部を上方から取り付け、外設部材を前記支持架台上に支持させると共に、前記取付具の取付部に取り付けてなることを特徴とする外設部材の支持構造に関するものである。
【０００８】
また、本発明は、前記外設部材の支持構造において、取付具は、上方に位置する収納部と、下方に配されて前記溝部内に弾性係合する脚部とを有する第１部分と、前記第１部分の収納部に収納される第２部分と、前記第２部分に取り付けられて上方に延在する取付部を有する第３部分とを組み合わせてなることを特徴とする外設部材の支持構造をも提案する。
【０００９】
また、本発明は、前記外設部材の支持構造において、取付具は、抜け止め手段が備えられていることを特徴とする外設部材の支持構造をも提案する。
【００１０】
さらに、本発明は、流れ方向に嵌合部を有する縦葺き外装構造に前記支持構造を取り付けてなる外装構造であって、縦葺き外装構造の左右の嵌合部に支持架台を嵌合させて固定し、該支持架台に固定した取付具により外設部材を取り付けたことを特徴とする外装構造をも提案するものである。
【発明の効果】
【００１１】
本発明の外設部材の支持構造は、支持架台に形成した流れ方向の溝部の任意の位置に取付具を上方から容易に取り付けることができ、該取付具の取付部に太陽電池システム等の外設部材を取付固定することができる。
【００１２】
また、取付具が、上方に位置する収納部と、下方に配されて前記溝部内に弾性係合する脚部とを有する第１部分と、前記第１部分の収納部に収納される第２部分と、前記第２部分に取り付けられて上方に延在する取付部を有する第３部分とを組み合わせてなる場合、それぞれ簡易構成の各部分を容易に作製することができ、後述する図示実施例のように容易に組み付けることができる。
【００１３】
また、取付具が、抜け止め手段を備えている場合、弾性係合により支持架台の溝部に取り付けた脚部が再び弾性変形して溝部から抜け出ることがなく、安定な取り付け状態を維持するものとなる。
【００１４】
さらに、本発明の外装構造は、支持架台を流れ方向に連続する長尺材とした場合には、キャップ材を兼ねることができ、さらに、支持架台を高強度素材にて形成した場合には、横方向に適宜架台を配することにより、井桁構造とすることができ、外設部材として高重量の太陽電池システムや緑化構造などの設置にも対応することができる。
【図面の簡単な説明】
【００１５】
【図１】（ａ）本発明の支持構造に用いられる支持架台の一実施例を示す拡大正面図、（ｂ）取付具の第１部分を示す拡大斜視図及び拡大正面図、（ｃ）取付具の拡大正面図、（ｄ）支持架台に取付具の第１部分を取り付けた状態を示す拡大正面図、（ｅ）取り付けた第１部分に第２部分を収容した状態を示す拡大正面図、（ｆ）さらに取り付けた第２部分に第３部分を取り付けた状態を示す拡大正面図である。
【図２】（ａ）本発明の支持構造の一実施例を示す拡大正面図、（ｂ）それに用いられた支持架台の溝部の状態を示す断面図、（ｃ）先願の支持構造を示す拡大正面図、（ｄ）それに用いられた支持架台の溝部の状態を示す断面図、である。
【図３】本発明の外装構造の一実施例を示す正面図である。
【発明を実施するための最良の形態】
【００１６】
本発明の外設部材の支持構造は、支持架台上に外設部材を支持させると共に、前記支持架台に固定した取付具により外設部材を取り付けてなる構成である。以下に、この支持構造に用いられる（Ａ）支持架台、（Ｂ）取付具、（Ｃ）外設部材の各部材について順に説明する。
また、本発明の外装構造は、縦葺き外装構造に、前記外設部材の支持構造を取り付けた構成である。
【００１７】
（Ａ）支持架台
本発明に用いられる支持架台は、外設部材を取り付けるための部材であって、流れ方向に沿う１つ以上の溝部を備える構成である。
【００１８】
前記支持架台は、流れ方向に沿う１つ以上の溝部を備え、前記本発明の外装構造においては、縦葺き外装構造の左右の嵌合部に嵌合する嵌合固定部を備える。この支持架台は、流れ方向に連続する長尺材でもよいし、一定長さを有する材料でもよく、特にその素材を限定するものではないが、後述する外設部材を支持するために、アルミや硬質樹脂による押出成形品、メッキ鋼板、ステンレス鋼板等のプレス加工品及びセラミック等より形成すればよい。なお、流れ方向に連続する長尺材の場合にはキャップ材を兼ねるようにしてもよい。
上記溝部は、上方が開放し、該溝部内を取付部が流れ方向に移動する構成である。
【００１９】
（Ｂ）取付具
本発明に用いられる取付具は、前記支持架台の溝部内に弾性係合する脚部と、上方に延在する取付部とを備える構成であり、一部材でも後述する図示実施例のように複数部材を組み合わせたものでもよい。
【００２０】
二部材からなる取付具としては、上方に位置する収納部と、下方に配されて前記溝部内に弾性係合する脚部とを有する下方金具と、前記第１部分の収納部に収納される基端（頭部）と、上方に延在する取付部とを有するボルト状の上方金具とを組み合わせてなる構成がある。
前記下方金具と上方金具とを組み合わせるには、例えば後述する図示実施例における第１金具のように下方金具を形成し、上方金具をボルト状に形成すれば、下方金具の挿通孔の下方から上方金具の雄螺子部分を挿通させて組み合わせればよい。なお、下方金具の上面に側端に至る挿通孔を形成することにより、下方金具の側方から上方金具を嵌め込むことも可能である。
【００２１】
三部材からなる取付具としては、後述する図示実施例での取付具があり、上方に位置する収納部と、下方に配されて前記溝部内に弾性係合する脚部とを有する第１部分（第１金具）と、前記第１部分の収納部に収納される第２部分（第２金具）と、前記第２部分に取り付けられて上方に延在する取付部とを有する第３部分（第３金具）とを組み合わせてなる構成である。
前記第１金具〜第３金具を組み合わせる仕様については、後述する図示実施例にて詳述する。
【００２２】
前記脚部は、前記支持架台の溝部内に弾性係合するものであって、特にその構成を限定するものではなく、例えば後述する図示実施例のように溝部の上方開放口から挿入でき、溝部の内部で拡開して脱離を防止する構成であってもよい。
具体的には、溝部の開口幅をＸ、溝部の内部幅をＹ（Ｘ＜Ｙ）とすると、後述する図示実施例のように脚部の挿入先端をＸより小さく形成し、内部で弾性回復して横幅がＹより大きくなるように形成すれば、安定に固定される。
【００２３】
前記取付部は、上方に延在して支持架台上に支持させた外設部材を取り付けることができるものであって、特にその構成を限定するものではなく、例えば後述する図示実施例のように上方に雄螺子部分が延在する構成であってもよい。
【００２４】
なお、複数部材からなる取付具においては、予め一部又は全部を組み付けた状態で支持架台の溝部に取り付けるようにしてもよいし、一部のみを支持架台の溝部に取り付けた後に他の部分を組み付けるようにしてもよい。
【００２５】
さらに、この取付具は、抜け止め手段が備えられていることが望ましい。
すなわちこの取付具は、弾性係合により支持架台の溝部に脚部を取り付けることができる構成を有するものであるが、取り付けられた脚部が再び弾性変形して溝部から抜け出ることがないように抜け止め手段、すなわち弾性変形を防止する手段を備えていることが望ましい。
【００２６】
（Ｃ）外設部材
本発明に用いられる外設部材としては、太陽電池システムを後述する図示実施例にて説明するが、それに限定するものではなく、屋根面に設置する外設部材であれば、例えば緑化構造でも、雪止め金具でもよいし、避雷針、アンテナなどでもよい。
この外設部材の配設位置は、前記支持架台の溝の任意の位置に取付具の脚部を取り付けることができるので、流れ方向の任意の位置に取り付けることができる。
【００２７】
本発明の外装構造に用いられる縦葺き外装材は、流れ方向に嵌合部を有する縦葺き外装構造を構築するものであれば、それ以外の構成は特に限定するものではない。流れ方向に形成される嵌合部とは、後述する保持部材の被嵌合部に嵌合する部位を指すものである。
後述する図示実施例では、この縦葺き外装材は、面板部の左右の側縁を立ち上げた側縁成形部を備え、この側縁成形部に嵌合部を形成し、後述する保持部材の被嵌合部に嵌合させて下地に取り付けられるようにした。このように、側縁形成部の構成は、保持部材の構成に応じて適宜に形成すればよく、例えば単なる起立片状でもよく、特に限定するものではない。
また、図示実施例に示すように支持架台を用いて左右の縦葺き外装材の側縁成形部を接続するものでも、側縁成形部同士を重合させてハゼ締めして接続するものでもよい。
【００２８】
前記縦葺き外装材を下地に取り付けるための保持部材は、下地への固定部と嵌合部を嵌合させる被嵌合部とを併せ持つ。
さらに、この保持部材は、後述する図示実施例のように、下地に固定する下側保持部材と、縦葺き外装材を保持する上側保持部材とからなるように、複数部材にて構成されるものでも、単一部材にて構成されるものでもよい。
【００２９】
前記保持部材を固定する下地は、木造、鉄骨造、コンクリート造等、釘、ビス、アンカー等の固定具が取付可能な全ての建築躯体を用いることができ、前記躯体上に断熱その他の必要に応じて敷設する木毛セメント板等のボード類を含む。
【００３０】
なお、前記支持架台は、前記縦葺き外装材の側縁成形部間に配設されるキャップ材を兼ねる場合もあるし、キャップ材の外側に支持架台を配設する場合もある。この支持架台又はキャップ材は、隣り合う前記縦葺き外装材の対向させた側縁成形部に跨るように配設され、前記縦葺き外装材又は前記保持部材の何れかに係合させる場合もある。
【実施例】
【００３１】
図１に示す本発明の外設部材の支持構造は、外設部材５を支持架台１上に支持させると共に、前記支持架台１に固定した取付具２により外設部材５を取り付けてなる。
【００３２】
前記支持架台１は、図１（ａ）に示すように流れ方向に沿う１つ以上の溝部１１を備えると共に、縦葺き外装構造の左右の嵌合部４２１に嵌合する嵌合固定部１３を備える構成である。
【００３３】
この実施例における前記支持架台１は、略門状であって、取り付ける縦葺き外装構造の縦桟の頂部に載置状に配され、略中央に形成されて上方が解放する溝部１１の左右に、その上面１２１が略水平状の中空枠部１２，１２が設けられ、該中空枠部１２，１２から下方へ拡開状に形成された下向き片１３，１３は、取り付ける縦葺き外装構造の縦桟の外側に沿うものであり、下端に、内側上方へ向かう跳ね上げ片状の嵌合固定部１３１，１３１が形成されている。
【００３４】
また、この実施例における前記取付具３は、図１（ｃ）に示すように複数部材２Ａ〜２Ｃを組み合わせた構成であり、予め組み付けた状態で取り付けるようにしてもよいが、図示実施例では別々に取り付けるようにした。
【００３５】
第１金具２Ａは、上方に位置する収納部２１と、下方に配されて前記溝部１１内に弾性係合する脚部２２とを有する構成であって、図１（ｂ）に示すように略キャップ状に形成したピース材として成形した。前記収納部２１は、側方が解放する中空枠形状であり、この収納部２１を形成する上面部分には、円形状の挿通孔２１１を形成した。前記脚部２２は、左右の垂下片の下端が外側に折り返された形状（折り返し片２２１）を備える。
図１（ａ）に示すように前記溝部１１の開口幅をＸ、溝部１１の内部幅をＹ（Ｘ＜Ｙ）とすると、脚部２２の挿入先端をＸより小さく形成し、内部で弾性回復して横幅がＹより大きくなるように形成すれば、安定に固定される。したがって、脚部２２を形成する左右の垂下片の間隔をＸとほぼ同じとすれば、それらの垂下片の下端から外側へ折り返した折り返し片２２１，２２１の間隔は、当然のことながらＸより大きくなるから、安定に固定される。
【００３６】
第２金具２Ｂは、前記第１部分の収納部２１に収納される第２部分を形成する構成であって、図１（ｃ）に示すように（六角）ナットを用いた。特に図示実施例では、収納部２１の形状及び容積に対し、その形状及び体積がほぼ一致するナットを用いた。
第３金具２Ｃは、前記第２部分に取り付けられて上方に延在する取付部２３を有する第３部分を形成する構成であって、図１（ｃ）に示すように両端ボルト（スタッドボルト）を用いた。すなわちこの第３金具２Ｃに設けられる取付部２３とは、上方に延在する雄螺子部分が相当する。
【００３７】
これらの第１金具２Ａ、第２金具２Ｂ、第３金具２Ｃを支持架台１に取り付けるには、以下の手順にて行えばよい。
まず、図１（ｄ）に示すように、支持架台１の流れ方向に沿う溝部１１の任意（所望）の位置に、第１金具２Ａを取り付ける。
第１金具２Ａの脚部２２は、前述のように左右の垂下片の下端に折り返し片２２１，２２１を形成した構成であり、溝部１１の開口幅Ｘよりもわずかに狭い垂下片の下端を溝部１１の直上から臨ませた状態で下方へ押し込む。押し込みに伴って折り返し片２２１，２２１が内側へ傾斜され（この状態では折り返し片２２１，２２１の横幅が強制的に溝部１１の開口幅Ｘと一致する状態となっている）、折り返し片２２１，２２１の上端を過ぎた時点で弾性回復して拡開し、その折り返し片２２１，２２１の横幅が溝部１１の開口幅Ｘよりも大きくなる。
この脚部２２の押し込みに伴って折り返し片が２２１，２２１が内側へ傾斜される際には、図１（ｄ）にて破線で示すように収納部２１も弾性変形し、折り返し片が２２１，２２１の上端が溝部１１内に嵌入した時点で、折り返し片２２１，２２１と同様に収納部２１も元の形状に弾性回復する。
【００３８】
次に、図１（ｅ）に示すように取り付けた第１金具２Ａの収納部２１に、第２金具２Ｂである（六角）ナットを取り付ける。
その際、互いにピース材である第１金具２Ａの収納部２１に対し、第２金具２Ｂを側方から嵌め込むことは極めて容易に実施できるが、前述のように収納部２１を形成する上面部分には、円形状の挿通孔２１１が形成されているので、第２金具２Ｂの通孔（雌螺子孔）と挿通孔２１１とが連通するように第２金具２Ｂの装着位置を微調整する。
この収納部２１への第２金具２Ｂの取り付けにより、特に図示実施例では、収納部２１の形状及び容積とほぼ一致する形状及び体積の第２金具２Ｂを取り付けたので、収納部２１の変形が防止され、それにより脚部２２の弾性変形も防止される。
【００３９】
そして、図１（ｆ）に示すように取り付けた第２金具２Ｂに、両端ボルト（スタッドボルト）である第３金具２Ｃを取り付けて上方に取付部２３を延在させる。
その際、前述のように収納部２１を形成する上面部分の挿通孔２１１は、ナット（第２金具２Ｂ）の通孔（雌螺子孔）と連通させているので、第３金具２Ｃの下端を第１金具２Ａの上面から取り付けることにより、収納部２１の内部の第２金具２Ｂの雌螺子孔に螺合する。さらに、第３金具２Ｃを締め付けると、第３金具２Ｃの下端は収納部２１（第２金具２Ｂ）を貫通して脚部２２の左右の垂下片の間に介在し、最終的には支持架台１の溝部１１に至る。
このように第３金具２Ｃの下端が溝部１１内に至り、脚部２２の左右の垂下片の間に介在することにより、脚部２２の弾性変形は物理的に阻止されるものとなる。すなわち、前述のように収納部２１への第２金具２Ｂの取り付けも抜け止め手段として有効であるが、この溝部１１内への第３金具２Ｃの取り付けは脚部２２の弾性変形を物理的に阻止するので、極めて強い抜け止め手段となる。
さらに、収納部２１への第２金具２Ｂの取り付けでは、前述のように収納部２１の形状に一致させる必要があるし、脚部２２の形状によって効果が薄れる場合もあるが、溝部１１への第３金具２Ｃの取り付けは、収納部２１の形状等に影響を受けないという利点もある。
【００４０】
また、このような構成を有する本発明における取付具３の効果を説明するため、図２（ｃ），（ｄ）に前記第１部分の構成を有していない取付具３'を並べて示した。
なお、取付具３，３'を比較するため、それ以外の支持架台１等については全く同様とした。
【００４１】
前述のように、本発明における取付具３は、支持架台１の溝部１１内に弾性係合する脚部２２と、上方に延在する取付部２３とを備える構成であり、図示実施例では、上方に位置する収納部２１と、下方に配されて前記溝部１１内に弾性係合する脚部２２とを有する第１金具２Ａを用いている。
これに対し、図２（ｂ）の取付具３'は、溝部１１を移動する螺子部を有する構成であって、本願出願人が特願２００８−１８５７４９として既に出願している。具体的には、この先願の取付具３'は、（六角）ボルト材であって、支持架台１の溝部１１内にボルト材の頭部３１を収納させ、ボルト材の雄螺子部分が上方に延在する取付部３２となっている。
【００４２】
したがって、本発明の取付具３は、脚部２２を支持架台１の任意の位置の溝部１１に上方から容易に取り付けることができ、取り付けた第１金具２Ａは弾性係合しているために流れ方向にズレ動くことがない。また、第１金具２Ａは、ピース材であるから、その収納部２１に第２金具２Ｂを取り付けることも収納部２１の側方から極めて容易に行うことができる。さらに、第３金具２Ｃの取り付けも、連通させた挿通孔２１１に対して行えばよいので、極めて容易に行うことができる。
これに対し、先願の取付具３'では、長尺材である支持架台１の溝部１１に対して直接的にボルト材を取り付けるので、溝部１１の端縁、すなわち支持架台１の長さ方向の端縁からボルト材の頭部３１を嵌め付けるほかはなく、前記本発明に比べて作業が面倒であった。さらに、ボルト材の頭部３１を嵌め込んだだけでは、流れ方向へズレ動いてしまうため、上方から嵌め込んだ締め付けナット３３にて締め付け固定する必要があった。
【００４３】
なお、図２中の符号５は、太陽電池システムである外設部材を示す。
すなわち図２では、複数の支持架台１上に太陽電池システムである外設部材５を支持させると共に、前記支持架台１に固定した取付具３の取付部２３に取り付け、外設部材５の上面を押さえ板３４にて押さえ付け、この押さえ板３４を前記取付部２３に止め付け、その上端にはキャップ３５を固定した。
【００４４】
このように本発明は、支持架台１の溝部１１内に弾性係合する脚部２２と、上方に延在する取付部２３とを備える取付具３を用いるので、支持架台１に形成した流れ方向の溝部１１の任意の位置に取付具３を上方から容易に取り付けることができ、該取付具３の取付部２３に太陽電池システム等の外設部材５を取付固定することができる。
【００４５】
また、図示実施例の取付具３は、上方に位置する収納部２１と、下方に配されて前記溝部１１内に弾性係合する脚部２２とを有する第１金具２Ａと、前記収納部２１に収納される第２金具２Ｂと、前記第２金具２Ｂに取り付けられて上方に延在する取付部２３を有する第３金具２Ｃとを組み合わせてなるので、各金具２Ａ〜２Ｃは何れも極めて簡易な構成であるため、容易に作製することができ、前述のように順次組み付けるにしても、また予め組み付けるにしても容易に組み付けることができる。
【００４６】
図３は前記構成の支持架台１の支持構造を取り付けた縦葺き外装構造であって、流れ方向に嵌合部４２１，４２１を有する完全弾性嵌合形式の構成であり、下地８への固定部７１を有する略門型のタイトフレームである下部保持部材７Ａと、起立片状の受部７０が前後に配される略Ｕ字状の上部保持部材７Ｂからなる保持部材（７Ａ，７Ｂ）にて外装材４が取り付けられている。
前記外装材４は、略水平面状の面板部４１の左右の側縁を傾斜状に立ち上げ、外方に向かって凹状の嵌合部４２１を形成した側縁成形部４２，４２を設け、その上端を外方へ延在して載置部分４３を形成し、さらにその先端を略Ｕ字状に成形して第２嵌合部４４とした構成である。
この外装材４は、流れ方向に連続する通し材でもよいし、定尺の外装材を公知の連結構造を用いて接続したものでもよく、表面化粧鋼板、ラミネート鋼板、メッキ鋼板、ステンレス鋼板、アルミ合金板、チタン合金板、銅板、真鍮板、鉛板等の公知の金属素材、炭素繊維積層板、硬質樹脂板等より成形され、素材が金属板の場合にはロール成形、或いはプレス成型、或いは両者の組合せにより成形（成型）される。素材が非金属素材の場合には、主に型成型により成型される。また、その素材厚は特に限定するものではないが、概ね０．４乃至１．６ｍｍ程度である。
【００４７】
前記保持部材（７Ａ，７Ｂ）は、下地８に固定する下部保持部材７Ａと、外装材４を保持する上部保持部材７Ｂとからなり、上部保持部材７Ｂの受部７０は、その基端から側方へ突出する突起片が設けられ、該突起片の下縁７０１とその下方の空間部７０４が前記外装材４の嵌合部４２１を嵌合させる被嵌合部であり、その上縁が前記載置部分４３を支持する支持部７０２であり、その中央には前記第２嵌合部４４を係合させる中央凹部７０３が設けられている。
これらの保持部材（７Ａ，７Ｂ）は、少なくとも流れ方向に連続するものではなく、短幅材でもよく、その素材についても特に限定するものではなく、アルミや硬質樹脂による押出成形品、メッキ鋼板、ステンレス鋼板等のプレス加工品及びセラミック等より形成すればよい。
【００４８】
この外装構造の施工手順を以下に示す。
まず、前記構成の下部保持部材７Ａの固定部７４を下地８上の所定位置に配設させ、図示しない固定具にて固定し、連結具７ｃにて上部保持部材７Ｂと連結する。
続いて、保持部材（７Ａ，７Ｂ）の左右に前記構成の外装材４，４を配し、それぞれの側縁成形部４２の嵌合部４２１を被嵌合部（７０１，７０４）に嵌合させる。
また、載置部分４３，４３を支持部７０２，７０２に支持させ、第２嵌合部４４，４４を中央凹部７０３に係合させて固定する。
そして、前記構成のキャップ材兼用の支持架台１を上方から臨ませ、左右の下向き片１３，１３に設けた嵌合固定部１３１を、前記嵌合部４２１に嵌合させて取り付ける。この支持架台１の設置は、上方から押圧するだけの簡単な操作にて弾性的に係合する。なお、支持架台１には、予め前記構成の取付具３を取り付けておいてもよいし、支持架台１を取り付けた後に、前述の手順にて取付具３を取り付けるようにしてもよい。
その後に、各種構成の外設部材５を、取付具３の取付部２３に取り付ける。
【符号の説明】
【００４９】
１  支持架台
１１  溝部
１３１  嵌合固定部
２Ａ  第１金具
２Ｂ  第２金具
２Ｃ  第３金具
２１  収納部
２２  脚片
２２１  折り返し片
２３  取付部
３  取付具
３'  （従来の）取付具
４  （縦葺き）外装材
４１  面板部
４２  側縁成形部
４２１  嵌合部
６  外設部材（太陽電池システム）
７Ａ  下部保持部材
７Ｂ  上部保持部材
８  下地
【図１】
2010285746.tif 000003
【図２】
2010285746.tif 000004
【図３】
2010285746.tif 000005